Podtech/llm-jp-corpus-v4-ja_patent huggingface dataset:
【手続補正書】
【提出日】令和1年5月27日(2019.5.27)
【手続補正１】
【補正対象書類名】明細書
【補正対象項目名】００４７
【補正方法】変更
【補正の内容】
【００４７】
そして、連結板部７３には、溝部７５と連通するグリース排出部７６が設けられていることにより、グリース排出部７６から外輪２の軌道溝４にグリースが移動し、良好なグリース潤滑環境を維持することができる。特に、本実施形態の保持器７を単列の玉軸受１に用いると好適である。具体的には、複列の玉軸受に比べて軸受内部空間が小さい単列の玉軸受（移動させたグリースを溜める空間が限られている単列の玉軸受）において、ポケット部７１の凹み部７４ａ、７４ｂと連通するグリース排出部７６を設けた保持器７によって、外輪２の軌道溝４に効率的に移動させることで内輪３の外径面にグリースが付着するのを防止することができる。よって、本実施形態の保持器７を単列の玉軸受１に用いることによって、グリース潤滑環境を適切に保ちつつ、軸受外部へのグリース漏れを防ぐことができる。
【手続補正２】
【補正対象書類名】明細書
【補正対象項目名】００４８
【補正方法】変更
【補正の内容】
【００４８】
次に、この発明の第２の実施形態につき、図９〜図１４に従い説明する。尚、第１の実施形態と同一部分には同一符号を付し、説明の重複を避けるために、その説明は割愛する。
【手続補正３】
【補正対象書類名】明細書
【補正対象項目名】００６３
【補正方法】変更
【補正の内容】
【００６３】
１        ：玉軸受
２        ：外輪
３        ：内輪
４、５    ：軌道溝
６        ：玉
７、７ａ  ：保持器
８        ：シール嵌合溝
９        ：シール溝
１０      ：シール部材
７０      ：環状体
７１      ：ポケット部
７２      ：開口部
７３      ：連結板部
７３ａ    ：第１壁部
７３ｂ    ：第２壁部
７４ａ、７４ｂ      ：凹み部
７５      ：溝部
７６      ：グリース排出部
７６ａ    ：グリース導入口
７６ｂ、７６ｄ  ：グリース排出口
７６ｃ    ：空隙部
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
（ａ）１，２−ヘキサンジオール及び（ｂ）１，２−オクタンジオールを含む活性混合物を含む化粧品組成物又は医薬組成物であって、
（ｉ）１０体積％が２μｍ未満の径を示し、
（ｉｉ）５０体積％が５μｍ未満の径を示し、
（ｉｉｉ）９０体積％が１５μｍ未満の径を示す、
平均粒子径を有する、水中油型（ｏ／ｗ）エマルジョン、油中水型（ｗ／ｏ）エマルジョン又は多重（ｗ／ｏ／ｗまたはｏ／ｗ／ｏ）エマルジョンである、前記組成物。
【請求項２】
前記成分（ａ）および成分（ｂ）が約２５：７５〜約７５：２５の重量比で存在する請求項１の組成物。
【請求項３】
前記成分（ａ）および成分（ｂ）が約４０：６０〜約６０：４０の重量比で存在する請求項１の組成物。
【請求項４】
スキンケア、ヘアケア、日照ケア又はパーソナルケア組成物である、請求項１の組成物。
【請求項５】
（ａ）１，２−ヘキサンジオール及び（ｂ）１，２−オクタンジオールを含む混合物の最終エマルジョンに対して、約０．１〜約１．０重量％の作用量を添加することによって
（ｉ）エマルジョンの安定性を改善する、かつ／または
（ｉｉ）エマルジョン中の液滴の平均粒子径分布を低減する、かつ／または
（ｉｉｉ）エマルジョンの感覚プロファイルを改善する
ための方法。
【手続補正２】
【補正対象書類名】明細書
【補正対象項目名】発明の名称
【補正方法】変更
【補正の内容】
【発明の名称】活性混合物を含む組成物及びその混合物を用いる方法
【手続補正３】
【補正対象書類名】明細書
【補正対象項目名】００１２
【補正方法】変更
【補正の内容】
【００１２】
エマルジョン
本発明のもう１つの目的は、上で開示したような１，２−ヘキサンジオールと１，２−オクタンジオールとの相乗的混合物を含む化粧品または医薬組成物に関する。前記組成物は、好ましくはスキンケア、ヘアケア、日照ケア又はパーソナルケア組成物である。また、前記組成物は、好ましくは、（ａ）１，２−ヘキサンジオール及び（ｂ）１，２−オクタンジオールを含む活性混合物を含む化粧品組成物又は医薬組成物であって、（ｉ）１０体積％が２μｍ未満の径を示し、（ｉｉ）５０体積％が５μｍ未満の径を示し、（ｉｉｉ）９０体積％が１５μｍ未満の径を示す、平均粒子径を有する、水中油型（ｏ／ｗ）エマルジョン、油中水型（ｗ／ｏ）エマルジョン又は多重（ｗ／ｏ／ｗまたはｏ／ｗ／ｏ）エマルジョンである、前記組成物である。
【手続補正４】
【補正対象書類名】明細書
【補正対象項目名】０１３５
【補正方法】変更
【補正の内容】
【０１３５】
最後に、本発明のもう１つの目的は、安定性を改善し、平均粒子径分布は低減し、エマルジョンの感覚プロファイルを改善することを同時に行うための上述した重量比での１，２−ヘキサンジオールと１，２−オクタンジオールとの二成分混合物の使用に関連し、ここで前記に成分混合物は、最終エマルジョンに基づいて計算して、前記エマルジョンに約０．１〜約１．０重量％の量、および好ましくは約０．２〜約０．５重量％の量で添加される。本発明のさらにもう１つの目的は、（ａ）１，２−ヘキサンジオール及び（ｂ）１，２−オクタンジオールを含む混合物の最終エマルジョンに対して、約０．１〜約１．０重量％の作用量を添加することによって（ｉ）エマルジョンの安定性を改善する、かつ／または（ｉｉ）エマルジョン中の液滴の平均粒子径分布を低減する、かつ／または（ｉｉｉ）エマルジョンの感覚プロファイルを改善するための方法に関する。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
ａ．布、織物、皮革、スエード、箔等の柔軟な金属及び身体装備の保護具の構造材料と、
ｂ．第１の双安定形態で構成され、前記構造材料の一部とされた繊維の形状の形状記憶ポリマー（ＳＭＰ）を含む双安定材料と、
ｃ．前記双安定材料に連結され、作動すると、前記双安定材料を前記第１の双安定形態から第２の双安定形態に移行させ、触覚フィードバックを生み出す、第１のアクチュエーターと、
ｄ．アクチュエーター作動信号を受信した際、前記第１のアクチュエーターの作動を開始する第１のアクチュエーター作動信号受信機と、
を備える、触覚フィードバックジェネレーター。
【請求項２】
前記アクチュエーターは、前記双安定材料に連結される形状記憶材料合金（ＳＭＡ）又はマクロファイバーコンポジット（ＭＦＣ）である、請求項１に記載の触覚フィードバックジェネレーター。
【請求項３】
前記アクチュエーターは熱源である、請求項１に記載の触覚フィードバックジェネレーター。
【請求項４】
前記アクチュエーターは、前記双安定材料の動きが可逆的であるように構成されている、請求項１に記載の触覚フィードバックジェネレーター。
【請求項５】
前記構造材料は装着具の一部である、請求項１に記載の触覚フィードバックジェネレーター。
【請求項６】
前記構造材料は織物である、請求項１に記載の触覚フィードバックジェネレーター。
【請求項７】
前記アクチュエーターは圧電材料である、請求項１に記載の触覚フィードバックジェネレーター。
【請求項８】
ａ．前記双安定材料に連結する第２のアクチュエーターであって、作動すると、前記双安定材料を前記第２の双安定形態から前記第１の双安定形態に移行させる、第２のアクチュエーターと、
ｂ．第２のアクチュエーター作動信号を受信した際、前記第２のアクチュエーターの作動を開始する第２のアクチュエーター作動信号受信機と、
を更に備える、請求項１に記載の触覚フィードバックジェネレーター。
【請求項９】
ユーザーに触覚フィードバックを与える方法であって、
ａ．発信源から触覚開始信号を受信することと、
ｂ．前記発信源から前記触覚開始信号を受信すると、構造材料の一部とされた繊維の形状の形状記憶ポリマー（ＳＭＰ）を含む双安定材料に連結する第１のアクチュエーターを作動させることと、
ｃ．前記第１のアクチュエーターが作動した際に、前記双安定材料が第１の双安定形態から第２の双安定形態に移行することによって前記ユーザーに触覚フィードバックを与えることと、
を含む、方法。
【請求項１０】
前記双安定材料は装着具の一部である、請求項９に記載の方法。
【請求項１１】
前記アクチュエーターは、形状記憶材料合金（ＳＭＡ）又は前記双安定材料に連結するマクロファイバーコンポジット（ＭＦＣ）である、請求項９に記載の方法。
【請求項１２】
前記アクチュエーターは熱源である、請求項９に記載の方法。
【請求項１３】
前記アクチュエーターは、前記双安定材料の動きが可逆的であるように構成されている、請求項９に記載の方法。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
第１内周面と第１外周面を有する第１ボディー；
前記第１ボディー上に配置されて前記第１ボディーと締結されて下部面が開放されたカバー；
前記第１ボディーと前記カバーの間に配置され、前記カバーの開放された前記下部面で露出される光学部材；
前記カバーの縁に沿って前記カバーと前記光学部材の間に配置された回路基板および互いに向き合うように前記回路基板に実装された少なくとも二つの光源を含む光源部材；および
前記第１ボディーと前記カバーの間に配置され、第２内周面と第２外周面を有する第２ボディーを含み、
前記光学部材は前記第１ボディーと前記第２ボディー間に配置され、前記光学部材の上部面は前記第２ボディーに密着して前記光学部材の下部面は前記第１ボディーに密着する、照明装置。
【請求項２】
前記カバーは上方に膨らんだ第１反射面を含む、請求項１に記載の照明装置。
【請求項３】
前記第１反射面の内側に配置されて下部方向に膨らんだ第２反射面を含む第１反射部材を含む、請求項２に記載の照明装置。
【請求項４】
前記第１反射面は前記第１反射部材の外側周りから上方に膨らんだ曲面を含む、請求項３に記載の照明装置。
【請求項５】
前記第２反射面の曲率半径は前記第１反射面の曲率半径より大きい、請求項３に記載の照明装置。
【請求項６】
前記第１ボディーと前記光学部材の下部面の密着面積が前記第２ボディーと前記光学部材の上部面の密着面積より広い、請求項１に記載の照明装置。
【請求項７】
前記第１ボディーの前記第１内周面と前記第２ボディーの前記第２内周面の間の間隔が前記第２ボディーの前記第２内周面の厚さより広い、請求項１に記載の照明装置。
【請求項８】
前記第１ボディーの前記第１内周面が前記第２ボディーの前記第２内周面より前記光学部材の内側にさらに突出した、請求項１に記載の照明装置。
【請求項９】
前記第１ボディー、前記第２ボディーおよび前記カバーが締結部材を通じて結合され、前記締結部材を囲むように前記カバー上に配置された密封部材を含む、請求項１に記載の照明装置。
【請求項１０】
前記カバー上に配置された電源供給部材；
前記カバーを貫通して前記カバーの内側面に形成された第１溝に挿入され、前記カバーの縁まで延長されて前記電源供給部材と前記光源部材を電気的に連結させる少なくとも一つの連結部材；および
前記第１溝を覆うように前記カバーの内側面に形成された第２反射部材を含む、請求項１に記載の照明装置。
【請求項１１】
前記カバーは、前記カバーの縁から外側に突出して前記連結部材を収納する第２溝を含む、請求項１０に記載の照明装置。
【請求項１２】
前記連結部材は前記光源部材と電気的に連結された第１ワイヤー；
前記電源供給部材と電気的に連結された第２ワイヤー；および
前記第１ワイヤーと前記第２ワイヤーを電気的に連結する締結部を含む、請求項１０に記載の照明装置。
【請求項１３】
前記第２反射部材は前記第１溝に完全に挿入された、請求項１０に記載の照明装置。
【請求項１４】
前記カバーは、
内側面に第３反射部材が配置された第２領域；
前記第２領域から前記第１ボディーの縁まで延長された第１領域；および
前記第２領域から前記光学部材の真ん中と重なる領域まで延長される残余領域を含む、請求項１に記載の照明装置。
【請求項１５】
前記第３反射部材は前記第３反射部材に入射された光を正反射させ、
前記カバーは前記カバーに入射された光を乱反射させる、請求項１４に記載の照明装置。
【請求項１６】
前記第３反射部材は前記第１領域と接する一端、前記第３領域と接する他端および前記一端と前記他端の真ん中を含み、
前記第３反射部材の前記一端と前記光源の光放出面の中心を連結する仮想の線と前記光学部材の上部面の間の第１角度が前記第３反射部材の前記他端と前記光源の前記光放出面の前記中心を連結する仮想の線と前記光学部材の上部面の間の第２角度より大きい、請求項１４に記載の照明装置。
【請求項１７】
前記第１角度は７０°〜７５°であり、前記第２角度は３５°〜４０°である、請求項１６に記載の照明装置。
【請求項１８】
前記第３反射部材の前記真ん中と前記光源の前記光放出面の前記中心を連結する仮想の線と前記光学部材の上部面の間の第３角度が４５°〜５０°である、請求項１６に記載の照明装置。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
ゲームとして、通常ゲームと、ゲーム上の特典が付与されることで該通常ゲームより有利になる特別ゲームを実行可能な遊技機において、
外周面に複数種類の図柄が配置された複数の回胴と、
ゲーム毎に役を内部抽選する役抽選手段と、
ゲーム毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
複数の異なる演出の中から、実行する複数個の演出を決定する演出決定手段と、
実行する演出それぞれに対応して、表示装置に表示する表示特典量を決定する表示量決定手段と、
遊技者の操作により操作信号を入力する入力手段と、
を具備し、
前記複数の異なる演出それぞれに対応して、特典量及び最低告知量が定められており、
前記表示量決定手段は、決定された演出に対応する最低告知量に加算量を加えて各表示特典量を変更し、前記特典量の合計と、変更された表示特典量及び最終告知量の合計とを一致させと加算を終了し、
前記表示装置は、変更後の表示特典量を全て表示した後に、前記操作信号が入力されると前記最終告知量を表示すること、
を特徴とする遊技機。
【手続補正２】
【補正対象書類名】明細書
【補正対象項目名】００２０
【補正方法】変更
【補正の内容】
【００２０】
請求項１に係る本発明の遊技機は、上記の目的を達成する為に、ゲームとして、通常ゲームと、ゲーム上の特典が付与されることで該通常ゲームより有利になる特別ゲームを実行可能な遊技機において、外周面に複数種類の図柄が配置された複数の回胴と、ゲーム毎に役を内部抽選する役抽選手段と、ゲーム毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、複数の異なる演出の中から、実行する複数個の演出を決定する演出決定手段と、実行する演出それぞれに対応して、表示装置に表示する表示特典量を決定する表示量決定手段と、遊技者の操作により操作信号を入力する入力手段と、を具備し、前記複数の異なる演出それぞれに対応して、特典量及び最低告知量が定められており、前記表示量決定手段は、決定された演出に対応する最低告知量に加算量を加えて各表示特典量を変更し、前記特典量の合計と、変更された表示特典量及び最終告知量の合計とを一致させと加算を終了し、前記表示装置は、変更後の表示特典量を全て表示した後に、前記操作信号が入力されると前記最終告知量を表示することを特徴とする。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示に対応する特定表示を表示可能な特定表示手段と、
可変表示の実行中に、当該可変表示に対応する対応表示を、前記特定表示に近接して表示可能な対応表示手段と、
前記有利状態に制御されるか否かに応じて異なる割合で前記対応表示の表示態様を変化させる変化演出を実行可能な変化演出実行手段と、
を備え、
前記変化演出のタイミングは、前記有利状態に制御されるか否かを示唆する特定演出を実行中の第１タイミングと、前記第１タイミングとは異なる第２タイミングとがあり、前記第１タイミングと前記第２タイミングとで前記変化演出の態様が異なることを特徴とする遊技機。
【請求項２】
前記第１タイミングで実行される前記変化演出の期間は、前記第２タイミングで実行される前記変化演出の期間よりも短いことを特徴とする請求項１に記載の遊技機。
【請求項３】
前記第１タイミングで実行される前記変化演出の表示領域は、前記第２タイミングで実行される前記変化演出の表示領域よりも小さいことを特徴とする請求項１又は２に記載の遊技機。
【手続補正２】
【補正対象書類名】明細書
【補正対象項目名】０００７
【補正方法】変更
【補正の内容】
【０００７】
（Ａ）上記目的を達成するため、本発明に係る遊技機は、
可変表示（例えば、特別図柄の可変表示）を行い、遊技者にとって有利な有利状態（例えば、大当りの遊技状態）に制御可能な遊技機（例えば、パチンコ遊技機１）であって、
未だ開始されていない可変表示に対応する特定表示（例えば、保留表示）を表示可能な特定表示手段（例えば、ステップＳ６０３の処理を実行して始動入賞記憶表示エリア５Ｈに保留表示を行う演出制御用ＣＰＵ１２０）と、
可変表示の実行中に、当該可変表示に対応する対応表示（例えば、アクティブ表示）を前記特定表示に近接して表示可能な対応表示手段（例えば、ステップＳ６０３の処理を実行して、始動入賞記憶表示エリア５Ｈに近接して設けられたアクティブ表示エリア５ＨＡに、アクティブ表示を行う演出制御用ＣＰＵ１２０）と、
前記有利状態に制御されるか否かに応じて異なる割合で前記対応表示の表示態様を変化させる変化演出（例えば、アクティブ変化演出）を実行可能な変化演出実行手段（例えば、ステップＳ５２８の保留・アクティブ変化演出設定処理を実行する演出制御用ＣＰＵ１２０）と、
を備え、
前記変化演出のタイミングは、前記有利状態に制御されるか否かを示唆する特定演出（例えば、スーパーリーチ演出）を実行中の第１タイミング（例えば、スーパーリーチ中の期間）と、前記第１タイミングとは異なる第２タイミング（例えば、スーパーリーチ前の期間）とがあり、前記第１タイミングと前記第２タイミングとで前記変化演出の態様が異なる（例えば、演出制御用ＣＰＵ１２０がステップＳ７０６において保留・アクティブ変化演出パターンを決定し、その決定した保留・アクティブ変化演出パターンに応じてステップＳ５２８の保留・アクティブ変化演出設定処理を実行することにより、スーパーリーチ前のアクティブ変化演出とスーパーリーチ中のアクティブ変化演出とで態様が異なること）を特徴とする。このような構成によれば、特定演出の演出効果を損なうことが防止され、興趣を向上させることができる。
（Ｂ）また、上記（Ａ）の遊技機において、前記第１タイミングで実行される前記変化演出の期間は、前記第２タイミングで実行される前記変化演出の期間よりも短いようにしてもよい（例えば、スーパーリーチ前のアクティブ変化演出が長時間となり、スーパーリーチ中のアクティブ変化演出が短時間となること）。このような構成によれば、特定演出の演出効果を損なうことが防止され、興趣を向上させることができる。
（Ｃ）また、上記（Ａ）〜（Ｂ）の遊技機において、前記第１タイミングで実行される前記変化演出の表示領域は、前記第２タイミングで実行される前記変化演出の表示領域よりも小さいようにしてもよい（例えば、スーパーリーチ前のアクティブ変化演出ではキャラクタ２００が出現し、スーパーリーチ中のアクティブ変化演出では出現しないこと）。このような構成によれば、特定演出の演出効果を損なうことが防止され、興趣を向上させることができる。
（１）上記目的を達成するため、本願の第１の観点に係る遊技機は、
可変表示（例えば、特別図柄の可変表示）を行い、遊技者にとって有利な有利状態（例えば、大当りの遊技状態）に制御可能な遊技機（例えば、パチンコ遊技機１）であって、
可変表示の実行中に、当該可変表示に対応する対応表示（例えば、アクティブ表示）を表示可能な対応表示手段（例えば、ステップＳ６０３の処理を実行してアクティブ表示エリア５ＨＡにアクティブ表示を行う演出制御用ＣＰＵ１２０）と、
前記有利状態に制御されるか否かに応じて異なる割合で前記対応表示の表示態様を変化させる変化演出（例えば、アクティブ変化演出）を実行可能な変化演出実行手段（例えば、ステップＳ５２８の保留・アクティブ変化演出設定処理を実行する演出制御用ＣＰＵ１２０）と、
を備え、
前記変化演出のタイミングは、前記有利状態に制御されるか否かを示唆する特定演出（例えば、スーパーリーチ演出）を実行中の第１タイミング（例えば、スーパーリーチ中の期間）と、前記第１タイミングとは異なる第２タイミング（例えば、スーパーリーチ前の期間）とがあり、前記第１タイミングと前記第２タイミングとで前記変化演出の態様が異なる（例えば、演出制御用ＣＰＵ１２０がステップＳ７０６において保留・アクティブ変化演出パターンを決定し、その決定した保留・アクティブ変化演出パターンに応じてステップＳ５２８の保留・アクティブ変化演出設定処理を実行することにより、スーパーリーチ前のアクティブ変化演出とスーパーリーチ中のアクティブ変化演出とで態様が異なること）を特徴とする。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
遊技を行う遊技機であって、
表示装置の特定領域に特定画像を表示する特定画像表示手段と、
前記特定画像の視認性が低下するように前記特定領域の少なくとも一部に重ねて計数領域を配置する計数領域配置手段と、を備え、
前記計数領域に示される計数値が特定値となったときに前記特定領域に前記特定画像とは異なる特殊画像が表示され、
前記計数領域が配置された場合と配置されなかった場合とで、遊技者にとって有利な有利状態に制御される割合が異なる
ことを特徴とする遊技機。
【請求項２】
遊技を行う遊技機であって、
表示装置の特定領域に特定画像を表示する特定画像表示手段と、
前記特定領域の近傍領域に表示される画像の視認性が低下するように該近傍領域に重ねて計数領域を配置する計数領域配置手段と、を備え、
前記計数領域に示される計数値が特定値となったときに前記特定領域または前記近傍領域に前記特定画像とは異なる特殊画像が表示され、
前記計数領域が配置された場合と配置されなかった場合とで、遊技者にとって有利な有利状態に制御される割合が異なる
ことを特徴とする遊技機。
【請求項３】
装飾用識別情報画像の可変表示を行い表示結果を導出する可変表示手段と、
前記装飾用識別情報画像の可変表示の実行中に特定演出画像を表示可能な特定演出実行手段と、をさらに備え、
前記特定演出画像は、少なくとも前記装飾用識別情報画像の一部よりも前方側の重複する位置に配置可能であり、
前記特定演出実行手段は、前記装飾用識別情報画像の表示結果が導出される期間において、該装飾用識別情報画像よりも前方側にて重複する位置では前記特定演出画像の表示態様を静止態様とする
ことを特徴とする請求項１または２に記載の遊技機。
【手続補正２】
【補正対象書類名】明細書
【補正対象項目名】０００６
【補正方法】変更
【補正の内容】
【０００６】
（Ａ）上記目的を達成するため、本発明の遊技機は、
遊技を行う遊技機（例えばパチンコ遊技機１）であって、
表示装置（例えば画像表示装置５）の特定領域に特定画像（例えば飾り図柄）を表示する特定画像表示手段（例えばステップＳ１７２の処理を実行する演出制御用ＣＰＵ１２０）と、
前記特定画像の視認性が低下するように前記特定領域の少なくとも一部に重ねて計数領域を配置する計数領域配置手段（例えば透過型表示装置５０にタイマ画像ＴＭ２を表示する演出制御用ＣＰＵ１２０）と、を備え、
前記計数領域に示される計数値が特定値となったときに前記特定領域に前記特定画像とは異なる特殊画像（例えば特殊図柄）が表示され、
前記計数領域が配置された場合と配置されなかった場合とで、遊技者にとって有利な有利状態に制御される割合が異なる（例えば表示結果が大当りとなるか否かに応じて異なる割合で（タイマ画像を表示する）計時演出を実行するかが判定されるようにしてもよい）。このような構成によれば、計数領域を用いた演出の興趣が向上する。
（Ｂ）また、上記目的を達成するため、本発明の他の遊技機は、
遊技を行う遊技機（例えばパチンコ遊技機１など）であって、
表示装置（例えば画像表示装置５）の特定領域に特定画像（例えば保留表示やアクティブ表示）を表示する特定画像表示手段（例えばステップＳ１６１の処理を実行する演出制御用ＣＰＵ１２０）と、
前記特定領域の近傍領域に表示される画像の視認性が低下するように該近傍領域に重ねて計数領域を配置する計数領域配置手段（例えば透過型表示装置５０にタイマ画像ＴＭ１を表示する演出制御用ＣＰＵ１２０）と、を備え、
前記計数領域に示される計数値が特定値となったときに前記特定領域または前記近傍領域に前記特定画像とは異なる特殊画像（例えば特定色の保留表示やアクティブ表示）が表示され、
前記計数領域が配置された場合と配置されなかった場合とで、遊技者にとって有利な有利状態に制御される割合が異なる（例えば表示結果が大当りとなるか否かに応じて異なる割合で（タイマ画像を表示する）計時演出を実行するかが判定されるようにしてもよい）ようにしてもよい。このような構成によれば、計数領域を用いた演出の興趣が向上する。
（Ｃ）また、上記目的を達成するため、本発明の他の遊技機は、上記（Ａ）または（Ｂ）の遊技機において、
装飾用識別情報画像の可変表示を行い表示結果を導出する可変表示手段（例えばステップＳ３２５、Ｓ３４８、Ｓ３５０の処理を実行する演出制御用ＣＰＵ１２０など）と、
前記装飾用識別情報画像の可変表示の実行中に特定演出画像を表示可能な特定演出実行手段（例えばステップＳ１６２の変化演出用キャラクタ表示処理を実行する演出制御用ＣＰＵ１２０など）と、をさらに備え、
前記特定演出画像は、少なくとも前記装飾用識別情報画像の一部よりも前方側の重複する位置に配置可能であり（例えば図１９（Ｂ）を参照）、
前記特定演出実行手段は、前記装飾用識別情報画像の表示結果が導出される期間において、該装飾用識別情報画像よりも前方側にて重複する位置では前記特定演出画像の表示態様を静止態様とする（例えば演出制御用ＣＰＵ１２０がステップＳ６０９の処理を実行する部分など）ようにしてもよい。
このような構成によれば、表示結果の誤認を防止することができる。
（１）また、上記目的を達成するため、本発明の他の遊技機は、
遊技を行う遊技機（例えばパチンコ遊技機１）であって、
表示装置（例えば画像表示装置５）の特定領域に特定画像（例えば飾り図柄）を表示する特定画像表示手段（例えばステップＳ１７２の処理を実行する演出制御用ＣＰＵ１２０）と、
前記特定画像の視認性が低下するように前記特定領域の少なくとも一部に重ねて計数領域を配置する計数領域配置手段（例えば透過型表示装置５０にタイマ画像ＴＭ２を表示する演出制御用ＣＰＵ１２０）と、を備え、
前記計数領域に示される計数値が特定値となったときに前記特定領域に前記特定画像とは異なる特殊画像（例えば特殊図柄）が表示されるようにしてもよい。
このような構成によれば、計数領域を用いた演出の興趣が向上する。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態へ制御可能な遊技機であって、
遊技者の動作を検出可能な動作検出手段と、
未だ開始されていない可変表示に関する情報を保留記憶として記憶する保留記憶手段と、
前記保留記憶手段に記憶されている保留記憶に対応する保留表示を表示する保留表示手段と、
実行中の可変表示に対応する可変表示対応表示を表示する可変表示対応表示手段と、
前記保留表示または前記可変表示対応表示の少なくとも一方の表示態様を、複数段階に変化させることが可能な表示態様変化手段と、
いずれの段階まで変化させるかを決定する態様決定手段と、
検出有効期間内に前記動作検出手段により遊技者の動作が検出されることにもとづいて、前記保留表示または前記可変表示対応表示の表示態様が変化することを示唆する示唆演出を実行する示唆演出実行手段とを備え、
前記示唆演出実行手段は、
前記保留表示または前記可変表示対応表示の表示態様が前記態様決定手段によって決定された段階まで変化している場合でも前記示唆演出を実行可能であり、
複数の演出モードのうち特定の演出モードに制御されているときに前記示唆演出を実行可能である
ことを特徴とする遊技機。
【請求項２】
表示態様変化手段が保留表示または可変表示対応表示を変化させることを制限する変化制限手段を備えた
請求項１記載の遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態へ制御可能な遊技機に関する。
【手続補正３】
【補正対象書類名】明細書
【補正対象項目名】０００９
【補正方法】変更
【補正の内容】
【０００９】
（手段１）本発明による遊技機は、可変表示を行い、遊技者にとって有利な有利状態（例えば、大当り遊技状態）へ制御可能な遊技機であって、遊技者の動作を検出可能な動作検出手段（例えば、プッシュセンサ１２４）と、未だ開始されていない可変表示に関する情報を保留記憶として記憶する保留記憶手段（例えば、図２０（Ｂ）に示す第１保留記憶バッファおよび第２保留記憶バッファ）と、保留記憶手段に記憶されている保留記憶に対応する保留表示を表示する保留表示手段（例えば、演出制御用マイクロコンピュータ１００におけるステップＳ６５６Ａ，Ｓ６６８Ａ，Ｓ６６２を実行する部分）と、実行中の可変表示に対応する可変表示対応表示（例えば、アクティブ保留表示）を表示する可変表示対応表示手段（例えば、演出制御用マイクロコンピュータ１００におけるステップＳ６６２ａを実行する部分）と、保留表示または可変表示対応表示の少なくとも一方の表示態様を、複数段階（例えば、「白」、「黄」、「青」、「赤」の４段階）に変化させることが可能な表示態様変化手段（例えば、演出制御用マイクロコンピュータ１００におけるステップＳ９１０を実行する部分）と、いずれの段階まで変化させるかを決定する態様決定手段（例えば、演出制御用マイクロコンピュータ１００におけるステップＳ３５１３を実行する部分）と、検出有効期間（例えば、有効期間）内に動作検出手段により遊技者の動作が検出されることにもとづいて、保留表示または可変表示対応表示の表示態様が変化することを示唆する示唆演出を実行する示唆演出実行手段（例えば、演出制御用マイクロコンピュータ１００におけるステップＳ３９０６を実行する部分）とを備え、示唆演出実行手段は、保留表示または可変表示対応表示の表示態様が態様決定手段によって決定された段階まで変化している場合でも示唆演出を実行可能であり（例えば、遊技者の動作を検出した場合に、表示態様が上限表示態様であるか否かにかかわらず（ステップＳ３９０７を行う前に）、示唆演出を実行する（ステップＳ３９０６））、複数の演出モードのうち特定の演出モードに制御されているときに示唆演出を実行可能であることを特徴とする。そのような構成によれば、遊技者の期待感を維持させることができる。
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
第１の絶縁体上に酸化物半導体を形成し、
前記第１の絶縁体上および前記酸化物半導体上に第２の絶縁体を成膜し、
前記第２の絶縁体上に第１の導電体を成膜し、
前記第１の導電体をエッチングすることで、前記酸化物半導体と重なる領域を有する第２の導電体を形成し、
前記第２の絶縁体上および前記第２の導電体上に水素含有層を成膜した後、加熱処理を行う半導体装置の作製方法。
【請求項２】
請求項１において、
前記水素含有層の形成前に、前記第２の導電体の側面に接する第３の絶縁体を形成する半導体装置の作製方法。
【請求項３】
請求項１または請求項２において、
前記第２の絶縁体は酸化シリコンを有する半導体装置の作製方法。
【請求項４】
第１の絶縁体上に第１の導電体を形成し、
前記第１の絶縁体上および前記第１の導電体上に第２の絶縁体を成膜し、
前記第２の絶縁体上に第１の酸化物半導体および第２の酸化物半導体を形成し、
前記第２の絶縁体上および前記第１の酸化物半導体上に第３の絶縁体を形成し、
前記第２の酸化物半導体上および前記第３の絶縁体上に第４の絶縁体を成膜し、
前記第４の絶縁体上に水素含有層を成膜した後、加熱処理を行う半導体装置の作製方法。
【請求項５】
請求項４において、
前記加熱処理の後、前記水素含有層を除去し、
前記第４の絶縁体上に第２の導電体を成膜し、
前記第２の導電体をエッチングすることで、前記第２の酸化物半導体と重なる領域を有する第３の導電体を形成する半導体装置の作製方法。
【請求項６】
請求項４において、
前記加熱処理の後、前記水素含有層をエッチングすることで、前記第２の酸化物半導体と重なる領域を有する水素含有層を形成する半導体装置の作製方法。
【請求項７】
請求項１乃至請求項６のいずれか一において、
前記水素含有層は、二次イオン質量分析法において水素濃度が１×１０２１ａｔｏｍｓ／ｃｍ３以上５×１０２２ａｔｏｍｓ／ｃｍ３以下である半導体装置の作製方法。
【請求項８】
請求項１乃至請求項７のいずれか一において、
前記水素含有層は、非晶質シリコンを有する半導体装置の作製方法。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
像担持体に画像を形成する画像形成手段と、
前記像担持体上の画像をシートに転写する転写手段と、
前記転写手段よりもシート搬送方向の上流に配置され、搬送されてくるシートを挟持して下流に搬送しつつ前記シート搬送方向に直交する幅方向にシフトさせて前記幅方向におけるシートの位置を調整する調整手段と、
シートの前記幅方向における一方の側端位置を検知する検知手段と、
第１端を先頭として搬送されながら前記転写手段により第１面に画像が転写されたシートを、前記第１端とは反対の第２端が先頭となるように反転させて前記調整手段に向けて再送する反転再送手段と、
制御手段と、を備え、
前記制御手段は、
前記第１端を先頭として搬送されているシートの前記シート搬送方向における中央部よりも後端側に位置する後端部分の、前記検知手段により検知された側端位置に基づき、前記反転再送手段により前記調整手段に再送されてきたシートの第２面に転写される画像の前記像担持体における第２画像位置を決定し、
前記反転再送手段によって再送されてきたこのシートを前記調整手段がシフトするシフト量を、前記第２画像位置と、前記反転再送手段によって再送されてきたシートであって、前記第２端を先頭として搬送されているシートの、前記検知手段により検知された側端位置とに基づき決定する、
ことを特徴とする画像形成装置。
【請求項２】
前記制御手段は、シートの第１面に転写される画像の前記像担持体における第１画像位置と、前記第１端を先頭として搬送されているシートの前記シート搬送方向における中央部よりも先端側に位置する先端部分の、前記検知手段により検知された側端位置とに基づき、前記第１面に画像が転写される前に前記シートを前記調整手段により前記幅方向にシフトさせる、
ことを特徴とする請求項１に記載の画像形成装置。
【請求項３】
前記制御手段は、前記第２画像位置を、前記第１端を先頭として搬送されているシートの後端部分の、前記検知手段により検知された前記側端位置と、このシートの第１面に転写される画像の前記像担持体における第１画像位置との差分に補正係数を乗じた値に基づき決定する、
ことを特徴とする請求項１に記載の画像形成装置。
【請求項４】
前記補正係数は、使用可能なシートに関するシート情報に基づき、種類毎に異なる個別の値として予め設定されている、
ことを特徴とする請求項３に記載の画像形成装置。
【請求項５】
前記シート情報は、搬送されるシートの種類、サイズ、坪量、及び表面性のうちの少なくとも１つに関する情報である、
ことを特徴とする請求項４に記載の画像形成装置。
【請求項６】
前記制御手段は、前記第１端を先頭として搬送される前記シートの前記検知手段により検知された側端位置に基づいて、シートの第１面に画像が転写される前に前記調整手段がシートをシフトするシフト量を決定する、
ことを特徴とする請求項１乃至５のいずれか１項に記載の画像形成装置。
【請求項７】
前記検知手段は、前記第１端を先頭として搬送されるシートの先端部分にて前記検知手段により検知された側端位置に基づいて前記調整手段が前記シートを前記幅方向にシフトさせた後、前記第１端を先頭として搬送されるシートの後端部分の前記側端位置を検知する、
ことを特徴とする請求項１乃至６のいずれか１項に記載の画像形成装置。
【請求項８】
後続シートの第１面に転写される画像の前記像担持体における第１画像位置は、前記後続シートに先行して前記転写手段へ搬送される先行シートの後端部分の側端位置に基づいて設定される、
ことを特徴とする請求項１乃至７のいずれか１項に記載の画像形成装置。
【請求項９】
前記調整手段の前記シート搬送方向の上流には、シート先端を前記調整手段に突き当ててシートの斜行を補正させる回転体対が配置されている、
ことを特徴とする請求項１乃至８のいずれか１項に記載の画像形成装置。
【請求項１０】
前記調整手段は、斜行が補正されるように搬送されてくるシートの先端が当接するレジストレーションローラ対を備えている、
ことを特徴とする請求項１乃至９のいずれか１項に記載の画像形成装置。
【請求項１１】
前記調整手段は、斜行が補正されるように搬送されてくるシートの先端が当接するシャッタ部材を備えている、
ことを特徴とする請求項１乃至９のいずれか１項に記載の画像形成装置。
【手続補正２】
【補正対象書類名】明細書
【補正対象項目名】００１０
【補正方法】変更
【補正の内容】
【００１０】
本発明は、画像形成装置において、像担持体に画像を形成する画像形成手段と、前記像担持体上の画像をシートに転写する転写手段と、前記転写手段よりもシート搬送方向の上流に配置され、搬送されてくるシートを挟持して下流に搬送しつつ前記シート搬送方向に直交する幅方向にシフトさせて前記幅方向におけるシートの位置を調整する調整手段と、シートの前記幅方向における一方の側端位置を検知する検知手段と、第１端を先頭として搬送されながら前記転写手段により第１面に画像が転写されたシートを、前記第１端とは反対の第２端が先頭となるように反転させて前記調整手段に向けて再送する反転再送手段と、制御手段と、を備え、前記制御手段は、前記第１端を先頭として搬送されているシートの前記シート搬送方向における中央部よりも後端側に位置する後端部分の、前記検知手段により検知された側端位置に基づき、前記反転再送手段により前記調整手段に再送されてきたシートの第２面に転写される画像の前記像担持体における第２画像位置を決定し、前記反転再送手段によって再送されてきたこのシートを前記調整手段がシフトするシフト量を、前記第２画像位置と、前記反転再送手段によって再送されてきたシートであって、前記第２端を先頭として搬送されているシートの、前記検知手段により検知された側端位置とに基づき決定することを特徴とする。
【手続補正書】
【提出日】平成30年12月11日(2018.12.11)
【手続補正１】
【補正対象書類名】明細書
【補正対象項目名】００２８
【補正方法】変更
【補正の内容】
【００２８】
本例の遮断バルブ３は、空圧信号である作動信号ASにより作動して、閉鎖される。このため、閉鎖動作が完了するまで継続的に作動信号ASを受ける必要がある。バルブ制御部31は、スイッチ部42が作動して検知センサ４から瞬間的に検知信号DASを受けると、圧力調整器53から分岐した酸素CAを作動信号ASとして継続的に遮断バルブ３へ送り続ける。これから、例えば図４に見られる別例１の溶射装置のように、検知センサ４から瞬間的に検知信号DASを受けると、圧力調整器53から分岐した酸素CAを継続的に受けて閉鎖する遮断バルブ３を用いれば、バルブ制御部31を省略できる。
【手続補正２】
【補正対象書類名】明細書
【補正対象項目名】００３３
【補正方法】変更
【補正の内容】
【００３３】
本発明の溶射装置における遮断機構は、電気で作動する検知スイッチ４を用いて構成できる。例えば図７に見られるように、電気信号である検知信号DESを発するスイッチ４を用いる溶射装置（別例３）を例示できる。別例３のバルブ制御部32は、空圧信号である作動信号ASを遮断バルブ３に送る点が上記例示（図１〜図３参照）と同じである。しかし、別例３のバルブ制御部32は、検知スイッチ４から電気信号である検知信号DESを受け、ソレノイドを動かしてバルブを開き、圧力調整器53から分岐した搬送気体CAを遮断バルブ３に送り出す点が上記例示と異なる。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
被給送物が積載される積載部と、
前記積載部に積載された被給送物のうちの最上位の被給送物に圧接して回転することにより被給送物を送り出す給紙ローラと、
前記給紙ローラに対向して設けられ、最上位から２つ目以下の被給送物が送り出されないようにするためのサバキ部材と、
前記サバキ部材が被給送物と接触するサバキ部材接触部よりも前記給紙ローラの搬送方向上流側で被給送物に接触する腰付け部材と、を備えることを特徴とする給紙装置。
【請求項２】
前記腰付け部材が、前記サバキ部材接触部と同じ側から前記サバキ部材接触部よりも高い位置で被給送物に接触することを特徴とする請求項１に記載の給紙装置。
【請求項３】
前記腰付け部材を、前記給紙ローラと近接した近接位置と、前記近接位置よりも前記給紙ローラから離れた退避位置との間を移動させる移動機構と、を備えることを特徴とする請求項１または２に記載の給紙装置。
【請求項４】
前記退避位置は、前記給紙ローラの回転軸方向において近接位置よりも前記給紙ローラから離れた位置であることを特徴とする請求項３に記載の給紙装置。
【請求項５】
被給送物を下流側に送るための搬送手段を備え、
被給送物が送られる方向である給紙方向に沿って座標を定義するとき、前記給紙ローラの座標範囲と前記搬送手段の座標範囲とに重なり合う部分が存在することを特徴とする請求項１乃至４の何れか１項に記載の給紙装置。
【請求項６】
前記搬送手段は、前記サバキ部材の下流側に設けられる給送ローラであり、
前記給送ローラは前記給紙ローラとの間で被給送物を挟んで下流側に送ることを特徴とする請求項５に記載の給紙装置。
【請求項７】
前記搬送手段は、前記回転軸方向と前記給紙方向のいずれにも直交する方向から見て前記回転軸方向における前記給紙ローラの両側に設けられ、前記サバキ部材と前記給紙ローラとの近接点よりも下流側にニップ部が位置する給送ローラ対であることを特徴とする請求項５に記載の給紙装置。
【請求項８】
前記搬送手段は、前記回転軸方向と前記給紙方向のいずれにも直交する方向から見て前記回転軸方向における前記給紙ローラの両側に設けられ、前記サバキ部材と前記給紙ローラとの近接点よりも下流側に頂部が位置し、前記給紙ローラとは反対側から被給送物に接触する給送ローラであることを特徴とする請求項５に記載の給紙装置。
【請求項９】
前記腰付け部材の上を被給送物が通過しているときの前記サバキ部材と前記給紙ローラとの高さの差が実質的に一定となるよう構成されていることを特徴とする請求項１乃至８の何れかに記載の給紙装置。
【請求項１０】
前記腰付け部材は、当該給紙装置から着脱可能であることを特徴とする請求項１乃至９の何れかに記載の給紙装置。
【請求項１１】
前記腰付け部材を支持する支持部材を含み、
前記支持部材を当該給紙装置に対して着脱することにより、前記腰付け部材が当該給紙装置に対して着脱されることを特徴とする請求項１０に記載の給紙装置。
【請求項１２】
給紙装置を縦方向に複数重ねて配置するとともに、  複数の前記給紙装置から各々１枚ずつ送り出される用紙を搬送しながら互いに重ねる丁合搬送路を有する丁合装置であって、
前記給紙装置として、請求項１乃至１１の何れか１項に記載の給紙装置を備えることを特徴とする丁合装置。
【請求項１３】
被給送物が積載される積載部と、前記積載部に積載された被給送物のうちの最上位の被給送物に圧接して回転することにより被給送物を送り出す給紙ローラと、前記給紙ローラに対向して設けられ、最上位から２つ目以下の被給送物が送り出されないようにするためのサバキ部材と、を備える給紙装置に対して着脱可能であって、
前記給紙装置に装着された状態で、前記サバキ部材が被給送物と接触するサバキ部材接触部よりも前記給紙ローラの搬送方向上流側で被給送物に接触する腰付け部材を有することを特徴とする腰付け部材ユニット。
【手続補正２】
【補正対象書類名】明細書
【補正対象項目名】発明の名称
【補正方法】変更
【補正の内容】
【発明の名称】給紙装置、丁合装置及び腰付け部材ユニット
【手続補正３】
【補正対象書類名】明細書
【補正対象項目名】０００１
【補正方法】変更
【補正の内容】
【０００１】
本発明は、給紙装置、丁合装置及び腰付け部材ユニットに関する。
【手続補正４】
【補正対象書類名】明細書
【補正対象項目名】００２５
【補正方法】変更
【補正の内容】
【００２５】
図１は、実施の形態に係る給紙装置を備える丁合装置１０を示す斜視図である。図２は、丁合装置１０の内部構造を示す模式図である。丁合装置１０は、筐体１２と、給紙装置１４Ａ〜１４Ｔと、挟み用給紙装置１６と、搬送機構１８と、挟み部２０と、排出部２２と、排出積載部２４と、メイン操作部１０４と、制御部１１０と、を備える。
【手続補正５】
【補正対象書類名】明細書
【補正対象項目名】００３４
【補正方法】変更
【補正の内容】
【００３４】
排出部２２は、搬送ベルト４６と、排出ローラ４８と、を含む。搬送ベルト４６は、挟み用紙に挟み込まれた被給送物の束を排出ローラ４８に向けて搬送する。排出ローラ４８は、搬送ベルト４６によって搬送されてきた被給送物の束を排出積載部２４に排出する。
【手続補正書】
【提出日】平成31年1月24日(2019.1.24)
【手続補正１】
【補正対象書類名】明細書
【補正対象項目名】００３８
【補正方法】変更
【補正の内容】
【００３８】
（１）水分率（質量％）
試料約５ｇの質量を測定し、１０５℃×４時間処理を行い、２４℃、５５％ＲＨで５分間放置した後、再度質量を測定する。ここで使う水分率は、｛［乾燥前質量−乾燥後質量］／［乾燥後質量］｝×１００で得られるドライベース水分率である。
【手続補正２】
【補正対象書類名】明細書
【補正対象項目名】００３９
【補正方法】変更
【補正の内容】
【００３９】
（２）繊維への樹脂付着量（質量％）
樹脂ディスパージョンを処理する前の繊維を、あらかじめ決められた長さでサンプリングし、１０５℃、４時間処理を行い、２４℃、５５％ＲＨで５分間放置した後の質量を測定する。次に、樹脂ディスパージョン処理後の繊維を、同じ長さでサンプリングし、同じく１０５℃、４時間処理した後の質量を測定する。ここで使う繊維への樹脂付着量は、｛［処理後の質量−処理前の質量］／［処理前の質量］｝×１００で得られる。
【手続補正書】
【提出日】平成31年2月1日(2019.2.1)
【手続補正１】
【補正対象書類名】明細書
【補正対象項目名】０００６
【補正方法】変更
【補正の内容】
【０００６】
本発明は、上記の如き問題点を一掃すべく創案されたものであって、野縁を、その逆Ｕ字状溝内に挿入される野縁支持受け部によって支持受けすることで、野縁取付金具を介して野縁受けに組付けされた構造を補強するものでありながら、当該野縁支持受け部による野縁の支持受け構造を利用し、かつ、当該野縁取付金具自体やその支持受け構造に依存しない独立一体化した組付け構成をもって、野縁の周辺域を含め、縁受けと野縁との組付け剛性強度を高め、シングル固定タイプや挟込み固定タイプ、指圧変形が可能・不能などの如何にかかわらず、種々の野縁取付金具が用いられた天井下地に採用することができ、しかも、地震等の揺れにより、前後左右等に傾動する振動負荷を受けた際に、野縁受け等他の部材よりも薄板にて形成される野縁自体のねじれや変形を防止して、両者間の密着状態を好適に保持し、野縁固定金具への振動負荷による影響を減少または回避することができ、野縁受けと野縁との間のガタツキや位置ズレを防止し、直角度を維持することのできる耐震補強金具を提供することを目的とする。
【手続補正２】
【補正対象書類名】明細書
【補正対象項目名】０００８
【補正方法】変更
【補正の内容】
【０００８】
本発明は、上記のように構成したことにより、野縁を、その逆Ｕ字状溝内に挿入される野縁支持受け部によって支持受けすることで、野縁取付金具を介して野縁受けに組付けされた構造を補強するものでありながら、当該野縁支持受け部による野縁の支持受け構造を利用し、かつ、当該野縁取付金具自体やその支持受け構造に依存することなく、野縁受け嵌装固定部を野縁取付金具の両側面で、野縁嵌挿固定部を野縁受けの厚さ幅よりも外方位置となる２個所で、交差配設された野縁受けと野縁に対して、それぞれ直接ネジ固定による独立一体化した組付けが行えるだけでなく、Ｌ字状に形成された野縁受け嵌装固定部の下面片が野縁受けの下面域を確りと密着させて受け止め支持した状態でネジ固定され、Ｌ字状に折曲された野縁嵌挿固定部の先端側が、当該下面域を通過する長さ幅をもって野縁の側面にオーバーラップした状態で、野縁受けのネジ固定部を中心に、野縁の２個所のネジ固定部を結ぶ三角形状のハ字状に末広がりする３点部位で確りとネジ固定され、振動負荷応力を分散して、離間や圧接応力を受け易い側を強固に密着させた状態で、野縁受けと野縁との組付け剛性強度を高めることができ、しかも、当該下面域周辺となる野縁の開口側とその側面域全体が耐震補強された状態で、両者の組付け剛性強度を高めることができる。その結果、シングル固定タイプや挟込み固定タイプ、指圧変形が可能・不能などの如何にかかわらず、種々の野縁取付金具が用いられた既設、新設の天井下地に採用することができると共に、地震等の揺れにより、前後左右等に傾動する振動負荷を受けた際に、三者が密着一体化された状態でねじれや傾動を受け止めて、これらが有機的に一体となった共同剛性力によって、野縁受け等他の部材よりも薄板にて形成される野縁自体のねじれや変形を防止して、逆Ｕ字状溝に集中した野縁受けへの上動圧接や離間するような振動負荷を、野縁嵌挿固定部で確りと受け止めて分散することができ、野縁取付金具への負荷影響が減少または回避され、両者間の密着状態を好適に保持し、直交する交差角度ズレを規制して直角度を維持することができ、野縁受けと野縁との間のガタツキや位置ズレを防止して、天井下地全体の耐震性を向上させることができる。
【手続補正３】
【補正対象書類名】明細書
【補正対象項目名】００２８
【補正方法】変更
【補正の内容】
【００２８】
１      躯体天井部
２      吊りボルト
３      野縁受け
３１    野縁受けハンガー
４      振れ止め
４１    振れ止め固定金具
５      野縁
５ａ    逆Ｕ字状溝
６      野縁取付金具
６１    野縁受け取付け部
６１ａ  垂下部
６２    上固定片
６３    野縁支持受け部
７      耐震補強金具
７１    野縁受け被覆部
７１ａ  バカ孔
７２    野縁受け嵌装固定部
７２１  野縁受け固定片
７２ａ  ネジ孔
７２２  上面片
７２３  下面片
７３    野縁嵌挿固定部
７３ａ  ネジ孔
７３ｂ  ネジ孔
８      天井パネル
９      ネジ
９ａ    通しネジ
【手続補正書】
【提出日】平成30年11月20日(2018.11.20)
【手続補正１】
【補正対象書類名】明細書
【補正対象項目名】００２９
【補正方法】変更
【補正の内容】
【００２９】
変換装置２は図１−（ａ）に示すようにピストン２２を挟んだ両側のシリンダ室２３、２４に区分されたシリンダ２１と、シリンダ２１内を往復動するピストン２２から構成される。